(57)【特許請求の範囲】
【請求項１】
ゴルフ競技を行うためのシャフトの端部に配置される改良型ゴルフクラブヘッドにおいて、ゴルフボールを叩く打面（１２）の反対側の面（４）に、水平方向に延びる中央リブ（８）と、前記面（４）全体にわたって当該中央リブ（８）の上下にそれぞれ設けられたキャビティ（７）とを有し、当該キャビティ（７）の前記打面（１２）に直交する鉛直断面形状が湾曲した凹状であることを特徴とする、改良型ゴルフクラブヘッド。
【請求項２】
２つのキャビティ（７）が、中央リブ（８）の両側に設けられたキャビティ通路（１０）でつながる連続キャビティを形成していることを特徴とする請求項１に記載の改良型ゴルフクラブヘッド。
【請求項３】
２つのキャビティ（７）は、それぞれキャビティ終端部（１１）を備え、互いに分離していることを特徴とする請求項１に記載の改良型ゴルフクラブヘッド。
【発明の詳細な説明】
【０００１】
【産業上の利用分野】
本発明はスポーツ分野、特にゴルフ競技に使用するゴルフクラブヘッドの改良に関する。
【０００２】
【従来の技術】
ゴルフクラブのヘッドの単純な構造に関し、多くの提案がなされており、それらは工業的モデルで保護されているが、設計の科学的研究に関しては、ゴルフクラブアイアンによる米国特許第4653756号出願日1985年10月25日（米国特許出願第791.207号）の特許が知られている。
【０００３】
この特許にはウォルドロン(WALDRON)特許の米国特許第1690388号およびローレンス(LAWRENCE)等の米国特許第3976299号が先行技術として引用されている。
本発明の目的は、改良型のゴルフクラブヘッドを提供することにある。その改良は空気中の渦による安定効果を得るための胴体(FUSELAGE)の改良に対する本出願人のスペイン国特許出願第9300372号の内容を特に応用することによって得られる。
【０００４】
上述のスペイン国特許の原理および請求の範囲を応用するために、ゴルフクラブのヘッドは、空気である流体中を動く固体物として考えられる。このゴルフクラブのヘッドは、その機能に応じてまた今日まで使用中にボールに当たるように空気力学的な線として考えられてきたことに従う構造を持っている。
ここで述べるゴルフクラブのヘッドに対する改良は、ヘッド本体の設計に影響を及ぼし、すなわちヘッド本体は、リリースと当然のひきずり力とそして振動とを決めるすべての空気の流れを考慮して画定される。同様にヘッド本体の設計をゴルフクラブのヘッドに適用するとゴルフクラブのヘッドの後方区域に生じる連続した空気の乱流によって生じる振動の多くの部分を避けることができ、これによりゴルフクラブを使用する際の正確さを高める。
【０００５】
［発明の開示］
図１はゴルフクラブ２のヘッドの断面１である。クラブ２の使用時には、ヘッドは湾曲した軌道３に沿って空気中を動き、打面12がボールに当たるようにされる。
ヘッド１のこの動きの間に、ヘッドから下向きでヘッドを引っ張るように作用する空気の流れ５が生じられる。これらの下降する空気の流れ５は、ヘッド１の表面の打面12と反対側の表面４の形状に追従する。
【０００６】
スペイン国特許第9300372 号に記載されているように、これら下降する空気の流れ５は空気の渦６を生じさせ、そして乱気流を引き起こすことになる。
ヘッド本体は側面４の全表面にわたり、それは図８に示す正面図で見ることができ、側面は打面（表面）12の反対側の曲面あるいは平坦な面である。
正確にこの表面４上には図２に示されるように二つのキャビティ７が形成され、これらのキャビティ７は端部９から始まって中央のリブ８で結合されている。また図２には、本発明が適用されるゴルフクラブのヘッドが断面図で示されている。
【０００７】
−広いキャビティ７。
−端部９から次いで始まるキャビティ。
−流体５の通過により画定される縁部。
−中央のリブ８により結合されるキャビティ。
図８を参照すると、
−キャビティ７は表面４の正面全体にその曲率に沿って設けられている。
図４を参照すると、
−キャビティ７は平行でそして中央のリブ８により分離されている。
−端部10で連通したキャビティ７。
−このように、連続した一つのキャビティ７−10−７−10が形成され、空気の渦６を維持し、従って上記空気の渦を安定化している。
図６を参照すると、
−キャビティ７は平行でそして中央リブ８によって分離されている。
−しかしながら、上記キャビティは図８に示すように終端部11を備え、互いに独立している。
【０００８】
これら解決手段はいずれもスペイン国特許第9300372号に記載された原理及び請求の範囲に書かれている発明を応用している。
−公知のゴルフクラブではヘッドの設計に関してこれらの２つの問題点を解決していない。
−動いている全ての丸いヘッドにおける空気の渦はエネルギー損失にともなうヘッドの引っ張りを止めることができる。
−空気の渦で生じ発生した流体の特徴により、このようにゴルフクラブを使うスポーツマンの手によって感じられる影響をはっきり生じる振動の引き起こす原因があり、これにより正確さが欠けていた。
【０００９】
−本発明を特に適応したゴルフクラブのヘッドを用いた場合、以下が成しとげられる；
−空気の渦のコントロールができる。
−クラブの振動が目立って減少する。
−クラブのヘッドの原因による振動を著しく回避すれば、プレイヤーの感性は明白に改良され、プレイヤーはより効果的に軌道をコントロールでき、そしてより効果的な打撃ができ、そして、最も良い力加減と、その場所のどこへ打つべきかを考慮することにより軌道上のコントロールが確保できる。
−すべてこれは振動の除去という重大な効果を成しとげられる。
【００１０】
【実施例】
以下、添付図面を参照して本発明のゴルフクラブヘッドの実施例について説明する。
【００１１】
図１はゴルフクラブのヘッドの断面１を示しており、この図には以下の３つの基本構成要素が示されている。
−軌道３を引き起こすゴルフクラブ２。
−対応するボールを叩くための衝撃を受ける打面12。
−打面12の反対側に位置する、ヘッド本体(FUSELAGE)が設けられた面４。
【００１２】
図２は他のゴルフクラブのヘッドの図１と同じ断面１を示している。この図には空気渦６を適当な形状で保持するキャビティ７が示されている。これらのキャビティ７は面４全体にのびそして周囲の縁部９で終わっている。
【００１３】
図３はヘッドの側面図を示している。この図は一方のキャビティ７から、前記一方のキャビティ７と平行な他方のキャビティ７への通路10を示している。これは図４にも示されている。
【００１４】
図４は、ヘッド本体上の面４の正面図を示しており、このヘッド本体はゴルフクラブのヘッドの新規な点及び改良点を示している。正面から見ると、平行な２つのキャビティ７の間は、それらのサイド通路10を介してつながっており、従って、実際には一つの連続キャビティとなっている。
【００１５】
図５はヘッドの側面図を示している。明らかに分かるように２つのキャビティ７は中央リブ８によって分離されて独立している。この図５では、図３のキャビティ通路10は２つの終端部11に代えられている。
【００１６】
図６は、ヘッド本体上のヘッドユニットの面４を示しており、このヘッド本体は当該ゴルフクラブのヘッドの新規な点及び改良点を示している。
一方の図３及び図４と、他方の図５及び図６との両方はスペイン国特許第９３００３７２号で請求された原理に基づくヘッド本体の応用を単に示していることは明かである。
【００１７】
図７はゴルフヘッドの断面図を示しており、この図では空気の流れ５が示されている。
図８はゴルフクラブのヘッドの側面図であり、本図には図７を画定するＡ−Ａ線が示されている。この図８にもまた空気の流れ５が示されている。
【００１８】
本発明の構成要素の説明
１．ゴルフクラブのヘッドの本体には、スペイン国特許９３００３７２号で請求されたヘッド本体(FUSELAGE)が取り付けられている。この場合、重要なことは取り付けられるヘッド本体の改良にあり、このヘッド本体が取り付けられるヘッドは異なったデザインものでもよい。
２．ゴルフクラブの運動選手によって使用されるシャフトの端部がヘッド１である。
３．ヘッド１を軌道にのせて打面12でボールを叩く。
４．打面12の反対側の面にヘッド１を改良するヘッド本体を配置することで、ヘッド本体の配置の問題は解決する。
５．面４の表面全体を覆う空気の流れが発生する。この空気の流れはゴルフクラブの実際のヘッドの終わりに近い状態を示した図１及び２と、図７及び８とに示されている。
６．ヘッドがキャビティ７，10，11を備えた適当な形状にされたゴルフクラブの最終的なデザインの中で、空気の渦は空気の流れ５によって生み出される。
７．キャビティ７は空気の渦を保持する。
８．リブは隣接するキャビティ７を分離する。
９．面４の全体に形成された縁部９は実際に生じる連続した空気の流れ５によって最終的に画定される。
１０．図３及び図４に示された解決方法が採用される場合は、平行するキャビティ７を連結してキャビティ７と同じ作用をする一つの連続キャビティが作り出される。
１１．正面から見たキャビティ通路10が示され、又、図８には縁部９の形状が示されている。
又、図５及び６には独立したキャビティの端部が示されている。
１２．ゴルフクラブのヘッドの表面はボールを叩く。
【００１９】
以上説明した本発明を産業上利用する場合には、ゴルフクラブのヘッドの改良である発明はその名前が表示されることは確実である。
しかし、特許請求の範囲の対象である改良はゴルフクラブ用の今日知られているヘッドのどのデザインのものにも適用され得る。
これらの改良は新しいヘッドを形成するので、ヘッド本体を取り付けるだけで、これらのヘッドに対して独自に生み出される。
特別な応用に適した２つの解決法が、図３及び図４と、図５及び図６とに示されている。
しかし、この解決法は単なる例として与えられたものであって、本発明のデザインの原理は、発明の本質を維持する限り他の形状でも実施し得る。
【図面の簡単な説明】
【図１】ゴルフクラブのヘッドの断面図である。
【図２】他のゴルフクラブのヘッドの図１と同じ位置の断面図である。
【図３】ヘッドの側面図である。
【図４】ヘッド本体によってカバーされた面の正面図である。
【図５】他の形状のヘッドの側面図である。
【図６】ヘッド本体によって覆われた図５に示すヘッドユニットの面の正面図である。
【図７】図８に示すゴルフヘッドのＡ−Ａ断面図である。
【図８】ゴルフクラブのヘッドの側面図である。
【符号の説明】
１  ゴルフクラブヘッドの断面
２  ゴルフクラブ
３  クラブの軌道
４  ヘッド本体が設けられた面
５  空気の流れ
６  渦
７  キャビティ
８  中央リブ
９  縁部
10  通路
11  キャビティの終端部
12  打面
【図１】
0003697270.tif 000002
【図２】
0003697270.tif 000003
【図３】
0003697270.tif 000004
【図４】
0003697270.tif 000005
【図５】
0003697270.tif 000006
【図６】
0003697270.tif 000007
【図７】
0003697270.tif 000008
【図８】
0003697270.tif 000009